(57)【要約】【課題】トランス及びプリンタを備える電子機器において、専用の冷却用モータを必要とせずに、コストを抑えつつ、トランス又はプリンタに対するファンによる効果的な空気冷却を可能とする。【解決手段】ケース１内部に、外部から供給される電流を変圧するトランス１０と、そのトランス１０により変圧された電流により回転駆動されるモータ２１と、そのモータ２１の回転駆動より印字動作されるプリンタ２０と、モータ２１の回転駆動により回転動作されてトランス１０又はプリンタ２０を空気冷却するファン３０と、を備える電子機器。そして、トランス１０とプリンタ２０の間にファン３０が配置されていて、トランス１０の近傍のケース１部分に空気排出口８が形成されている。また、プリンタ２０の近傍のケース１部分に外気取り入れ口９が形成されている。【選択図】図２
2019005922.tif 000002
【特許請求の範囲】
【請求項１】
ケース内部に、
変圧を変圧するトランスと、
前記トランスにより変圧された電圧により回転駆動されるモータと、
前記モータの回転駆動より印字動作されるプリンタと、
前記モータの回転駆動により回転動作されて前記トランスを空気冷却するファンと、
を備えることを特徴とする電子機器。
【請求項２】
ケース内部に、
変圧を変圧するトランスと、
前記トランスにより変圧された電圧により回転駆動されるモータと、
前記モータの回転駆動より印字動作されるプリンタと、
前記モータの回転駆動により回転動作されて前記プリンタを空気冷却するファンと、
を備えることを特徴とする電子機器。
【請求項３】
前記トランスとプリンタの間に前記ファンが配置されていて、
前記トランスの近傍の前記ケース部分に空気排出口が形成されていることを特徴とする請求項１又は２に記載の電子機器。
【請求項４】
前記プリンタの近傍の前記ケース部分に外気取り入れ口が形成されていることを特徴とする請求項３に記載の電子機器。
【請求項５】
前記トランスに対し前記プリンタと反対側に前記ファンが配置されていて、
前記ファンの近傍の前記ケース部分に外気取り入れ口が形成されていることを特徴とする請求項１又は２に記載の電子機器。
【請求項６】
前記プリンタの近傍の前記ケース部分に空気排出口が形成されていることを特徴とする請求項５に記載の電子機器。
【請求項７】
前記空気排出口又は外気取り入れ口は複数のスリットにより構成されていることを特徴とする請求項３から６のいずれか一項に記載の電子機器。
【発明の詳細な説明】
【技術分野】
【０００１】
本発明は、トランス及びプリンタを備える電子機器に関する。
【背景技術】
【０００２】
特許文献１において、外部から供給される電流を変圧するトランスにより変圧された電流により駆動されるプリンタ及び冷却ファンモータを備える画像形成装置が公知となっている。
【０００３】
ところで、字輪印刷方式の小型プリンタを搭載したプリンタ電卓があり、その中でもパラレル式字輪のプリンタを搭載した電卓は、そのパラレルプリンタ駆動のために高電圧、大電流が必要になり、比較的大型のスイッチングトランスをケース内部に搭載している。
このようなプリンタ電卓において、連続印字などでプリンタが長時間駆動した時、トランスの発熱により内部温度及びケース表面温度が高くなるが、ケース内部の構造を工夫してトランスとケースとのクリアランスをできるだけ大きく取るといった構造面からの対策に留まっている現状である。
【先行技術文献】
【特許文献】
【０００４】
【特許文献１】特開２００２−１９２３２号公報
【発明の概要】
【発明が解決しようとする課題】
【０００５】
しかし、前述したようなプリンタ電卓においては、特許文献１の画像形成装置やＰＣなどのように、ケース内の空気を冷却ファンで排出・換気して冷却するといった熱対流の面からの対策は行っていない。
これには、プリンタ電卓は、プリンタ駆動時以外は消費電力が非常に小さく、トランスの負荷も小さく温度が殆ど上がらないこと、ＰＣなどと違い価格が安いため、ファン、及びそのファンを回転させるためのモータ、電源等の空調のための部品ユニットを追加するコスト的な余裕がないことが挙げられる。
しかし、安全規格ＩＥＣ−６２３６８の２０１９年からの施行決定など、プリンタ電卓のケース温度上昇に対して、安全なレベルに確実に冷却するための対策が求められている。
【０００６】
本発明の課題は、トランス及びプリンタを備える電子機器において、専用の冷却用モータを必要とせずに、コストを抑えつつ、トランス又はプリンタに対するファンによる効果的な空気冷却を可能とすることである。
【課題を解決するための手段】
【０００７】
以上の課題を解決するため、本発明は、
ケース内部に、
変圧を変圧するトランスと、
前記トランスにより変圧された電圧により回転駆動されるモータと、
前記モータの回転駆動より印字動作されるプリンタと、
前記モータの回転駆動により回転動作されて前記トランスを空気冷却するファンと、
を備える電子機器を特徴とする。
【発明の効果】
【０００８】
本発明によれば、トランス及びプリンタを備える電子機器において、専用の冷却用モータを必要とせずに、コストを抑えつつ、トランス又はプリンタに対するファンによる効果的な空気冷却を行うことができる。
【図面の簡単な説明】
【０００９】
【図１】本発明を適用した電子機器の一実施形態の構成を示すもので、プリンタ電卓の斜視図である。
【図２】図１のプリンタ電卓の要部平面図である。
【図３】図２のケース内部の配置構造を示す概略平面図である。
【図４】図３のモータ及びファン部分の拡大図である。
【図５】図４のファン部分の正面図である。
【図６】実施形態２の内部配置構造を示す概略平面図である。
【発明を実施するための形態】
【００１０】
以下、図を参照して本発明を実施するための形態を詳細に説明する。
（実施形態１）
図１は本発明を適用した電子機器の一実施形態としてプリンタ電卓の構成を示すもので、１はケース、２はキー部、３は表示部、４はロール紙ホルダ、５はロール紙、６は紙供給口、７は紙排出口である。
【００１１】
プリンタ電卓は、図示のように、ケース１の上面に、手前側のキー部２、その向こう側の表示部３、その向こう側で左側のロール紙ホルダ４を備え、ロール紙ホルダ４に装着されたロール紙５が、紙供給口６からケース１内部を通して紙排出口７からケース１外部に引き出される。
【００１２】
図２は図１のプリンタ電卓の要部平面を示すもので、図示のように、ケース１の表示部３の向こう側の内部には、右側にスイッチングトランス１０が配置されて、左側にプリンタ２０が配置されている。
このようなプリンタ電卓の温度上昇対策として、プリンタ２０のプリンタ駆動用モータ２１を利用してファンを回転させて、ケース１内部の温度上昇の原因であるスイッチングトランス１０を冷却する。
【００１３】
すなわち、図示例では、プリンタ２０はスイッチングトランス１０の左隣にあり、プリンタ駆動用モータ２１の回転軸上のピニオン２２がスイッチングトランス１０側にあるので、左右のスイッチングトランス１０とプリンタ２０との間にファン３０に配置する。
このように、プリンタ駆動用モータ２１を利用してファン３０を回転させる。
【００１４】
図３は図２のケース１内部の概略配置構造を示すもので、１１はスイッチングトランス１０からケース１の外部に導出された電源コード、２２はピニオン、２３はプリンタギア、２４はファン回転用ギアである。
【００１５】
図示のように、プリンタ駆動用モータ２１の回転軸上のピニオン２２にプリンタギア２３が噛み合っており、プリンタ駆動用モータ２１の駆動によりピニオン２２及びプリンタギア２３を介してプリンタ２０のパラレル式字輪が回転駆動される。
そして、プリンタ駆動用モータ２１のピニオン２２には、プリンタギア２３と反対側にファン回転用ギア２４が噛み合っており、このファン回転用ギア２４と同軸上に空気冷却用のファン３０が設けられている。
【００１６】
図４は図３のモータ２１及びファン３０部分を拡大したもので、図５はそのファン３０部分を正面から見た状態を示しており、図示のように、ファン回転用ギア２４の軸受２５が設けられている。
【００１７】
また、図１及び図３に示すように、ケース１の右側面でスイッチングトランス１０の近傍部分には、複数本（図示例では５本）の縦方向のスリットによる空気排出口８が形成されている。
さらに、図１及び図２に示すように、ケース１の上面で紙供給口６より向こう側であって、プリンタ２０の近傍部分には、複数本（図示例では３本）の横方向のスリットによる外気取り入れ口９が形成されている。
【００１８】
以上のプリンタ電卓は、プリンタ２０の駆動中、すなわち、プリンタ駆動用モータ２１の回転中は、ピニオン２２及びファン回転用ギア２４を介してファン３０が回り、ケース１内の空気を対流させ、スイッチングトランス１０を冷却することができる。
そして、その冷却空気の経路としては、ケース１側面に５本の縦方向のスリットによる空気排出口８が開いているので、ファン３０によって対流させたケース１内部の空気を、図３に仮想線矢印で示したように、空気排出口８からケース１外に排出することができる。
さらに、その冷却効果については、ケース１内部の熱伝達としてファン３０による最も支配的な熱対流が可能になるので、充分な冷却効果が見込める。
【００１９】
このように、プリンタ駆動用モータ２１の駆動力をファン３０の回転に利用するので、他のファン回転用電源やファンモータなどのハードウェア追加コストを殆どかけることなく、特別な追加部品や設計変更なしで、ケース１内部の温度冷却ができる。
しかも、プリンタ電卓の特性上、プリンタ２０の駆動中のみスイッチングトランス１０が発熱するレベルの負荷がかかるので、本構造であれば、プリンタ２０の駆動と連動してファン３０が回転するので、ソフトウェアによるファン回転制御も必要ない。
【００２０】
さらに、プリンタ電卓は、ケース１上面に３本の横方向のスリットによる外気取り入れ口９が開いているので、ファン３０の吸引作用によって、この外気取り入れ口９から取り入れられた外気がプリンタ２０の上面に沿って流れる。
こうして、ファン３０により対流させた空気がケース１内部を循環して、プリンタ２０及びスイッチングトランス１０を冷却することができ、その冷却後の温風を、空気排出口８からケース１の側方に排出することができる。
【００２１】
以上、実施形態のプリンタ電卓によれば、プリンタ駆動用モータ２１の回転駆動により回転動作されてスイッチングトランス１０及びプリンタ２０を空気冷却するファン３０を、スイッチングトランス１０とプリンタ２０の間に配置して、スイッチングトランス１０近傍のケース１側面に空気排出口８を有し、プリンタ２０近傍のケース１上面に外気取り入れ口９を有しているため、専用の冷却用モータを不要としてコストを抑えながら、プリンタ駆動用モータ２１を利用したファン３０によるスイッチングトランス１０及びプリンタ２０に対する効果的な空気冷却を行うことができる。
【００２２】
（実施形態２）
図６は実施形態２の内部配置構造を示すもので、前述した実施形態１と同様、１０はスイッチングトランス、１１は電源コード、２０はプリンタ、２１はプリンタ駆動用モータ、２２はピニオン、２３はプリンタギア、２４はファン回転用ギア、３０はファンであって、８は外気取り入れ口、３１は延長軸である。
【００２３】
図示のように、ファン回転ギア２４と同軸上に延長軸３１を設けて、この延長軸３１をスイッチングトランス１０の向こう側に配置する。
さらに、延長軸３１の先端部にファン３０を設けて、このファン３０をスイッチングトランス１０とケース８の右側面との間に配置する。
【００２４】
そして、実施形態２においては、ファン３０の回転方向を実施形態１と逆方向として、実施形態１でケース１の右側面でスイッチングトランス１０の近傍部分に形成した複数本（図示例では５本）の縦方向のスリットを外気取り入れ口８として用いる。
また、実施形態１の図１及び図２において、ケース１の上面でプリンタ２０の近傍部分に形成した複数本（図示例では３本）の横方向のスリットを空気排出口９として用いる。
【００２５】
このように、プリンタ電卓は、プリンタ２０の駆動中、すなわち、プリンタ駆動用モータ２１の回転中は、ピニオン２２、ファン回転用ギア２４及び延長軸３１を介してファン３０が回り、ケース１内の空気を対流させ、スイッチングトランス１０を冷却することができる。
そして、その冷却空気の経路としては、ケース１側面に５本の縦方向のスリットによる外気取り入れ口８が開いているので、これの近傍に配置したファン３０の吸引作用によって、仮想線矢印で示したように、外気取り入れ口８からケース１内部に外気を取り入れて対流させることができる。
【００２６】
さらに、ファン３０による送風がプリンタ２０に向けて流れて、プリンタ２０を冷却することができる。
こうして、ファン３０により対流させた空気がケース１内部を循環して、スイッチングトランス１０及びプリンタ２０を冷却することができ、その冷却後の温風を、プリンタ２０の上方のケース１上面に形成した３本の横方向のスリットによる空気排出口９からケース１の上方に排出することができる。
【００２７】
以上、実施形態２のプリンタ電卓によっても、プリンタ駆動用モータ２１の回転駆動により回転動作されてスイッチングトランス１０及びプリンタ２０を空気冷却するファン３０を、スイッチングトランス１０とケース１側面の間に配置して、ファン３０近傍のケース１側面に外気取り入れ口８を有し、プリンタ２０近傍のケース１上面に空気排出口９を有しているため、前述した実施形態１と同様、専用の冷却用モータを不要としてコストを抑えながら、プリンタ駆動用モータ２１を利用したファン３０によるスイッチングトランス１０及びプリンタ２０に対する効果的な空気冷却を行うことができる。
【００２８】
（変形例）
以上の実施形態においては、電卓としたが、本発明はこれに限定されるものではなく、プリンタを備える他の電子機器であってもよい。
また、実施形態では、トランス及びプリンタをファンで空気冷却したが、トランス又はプリンタの少なくとも一方をファンで空気冷却すればよい。
さらに、実施形態では、プリンタ駆動用モータの回転軸上のピニオンに噛み合うギアと同軸上にファンを設けたが、プリンタ駆動用モータのピニオンと同軸上にファンを設けたり、プリンタギアと同軸上にファンを設けたりしてもよい。
また、空気排出口及び外気取り入れ口について、スリットに限らず形状は任意であり、その他、ケースの形状など具体的な細部構造等についても適宜に変更可能であることは勿論である。
【００２９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
ケース内部に、
変圧を変圧するトランスと、
前記トランスにより変圧された電圧により回転駆動されるモータと、
前記モータの回転駆動より印字動作されるプリンタと、
前記モータの回転駆動により回転動作されて前記トランスを空気冷却するファンと、
を備えることを特徴とする電子機器。
＜請求項２＞
ケース内部に、
変圧を変圧するトランスと、
前記トランスにより変圧された電圧により回転駆動されるモータと、
前記モータの回転駆動より印字動作されるプリンタと、
前記モータの回転駆動により回転動作されて前記プリンタを空気冷却するファンと、
を備えることを特徴とする電子機器。
＜請求項３＞
前記トランスとプリンタの間に前記ファンが配置されていて、
前記トランスの近傍の前記ケース部分に空気排出口が形成されていることを特徴とする請求項１又は２に記載の電子機器。
＜請求項４＞
前記プリンタの近傍の前記ケース部分に外気取り入れ口が形成されていることを特徴とする請求項３に記載の電子機器。
＜請求項５＞
前記トランスに対し前記プリンタと反対側に前記ファンが配置されていて、
前記ファンの近傍の前記ケース部分に外気取り入れ口が形成されていることを特徴とする請求項１又は２に記載の電子機器。
＜請求項６＞
前記プリンタの近傍の前記ケース部分に空気排出口が形成されていることを特徴とする請求項５に記載の電子機器。
＜請求項７＞
前記空気排出口又は外気取り入れ口は複数のスリットにより構成されていることを特徴とする請求項３から６のいずれか一項に記載の電子機器。
【符号の説明】
【００３０】
１  ケース
２  キー部
３  表示部
４  ロール紙ホルダ
５  ロール紙
６  紙供給口
７  紙排出口
８  空気排出口（外気取り入れ口）
９  外気取り入れ口（空気排出口）
１０  トランス
１１  電源コード
２０  プリンタ
２１  プリンタ駆動用モータ
２２  ピニオン
２３  プリンタギア
２４  ファン回転用ギア
２５  軸受
３０  ファン
３１  延長軸
【図１】
2019005922.tif 000003
【図２】
2019005922.tif 000004
【図３】
2019005922.tif 000005
【図４】
2019005922.tif 000006
【図５】
2019005922.tif 000007
【図６】
2019005922.tif 000008